(57)【要約】【課題】使用者の意思によらずに可動障子が室内側に倒れることがないようにした上げ下げ窓とする。【解決手段】窓枠１に内障子２及び外障子３を設け、その内外障子２，３のうち少なくとも一方を上下動及び内倒し可能な可動障子とし、この可動障子の左右の縦框２２上部に内倒しロック装置４０を設けて可動障子が室内側に倒れないようにした上げ下げ窓とし、前記内倒しロック装置４０は本体４１とロック部材４２と操作部材４３を備え、その操作部材４３を上方に移動してから左右に移動することでロック部材４２がロック解除位置に移動する構成で、このロック部材４２が使用者の意思によらずにロック解除位置に移動することがなく、使用者の意思によらずに可動障子が室内側に倒れることがない。【選択図】図４
2006183310.tif 000002
【特許請求の範囲】
【請求項１】
窓枠に内障子及び外障子を設け、内外障子のうち少なくとも一方を上下動及び内倒し可能な可動障子とし、この可動障子の上部左右に内倒しロック装置を設けた上げ下げ窓であって、
前記窓枠の縦枠は可動障子ガイドを有し
前記内倒しロック装置は、本体とロック部材と操作部材を備え、そのロック部材は前記可動障子ガイドに上下方向に摺動自在に接して可動障子の上部を室内側に移動しないようにして可動障子の内倒しをロックするロック位置に保持され、
前記操作部材は下方位置に保持され、その下方位置から上方位置に移動して左右方向に移動することで前記ロック部材を可動障子ガイドから離れたロック解除位置に移動できるようにしたことを特徴とする上げ下げ窓。
【請求項２】
内倒しロック装置のロック部材は、本体にロック位置とロック解除位置とに亘って左右方向に移動自在に設けられ、このロック部材は弾性部材でロック位置に保持され、かつその弾性部材に抗してロック解除位置に移動可能で、
前記内倒しロック装置の操作部材は、本体とロック部材に亘って上下動自在に設けてあり、この操作部材が下方位置の時には本体に対して左右方向に移動しないように支持され、かつ上方位置の時には本体に対してロック部材とともに左右方向に移動可能である請求項１記載の上げ下げ窓。
【請求項３】
窓枠に内障子及び外障子を設け、内外障子のうち少なくとも一方を上下動及び内倒し可能な可動障子とし、この可動障子の上部左右に内倒しロック装置を設けた上げ下げ窓であって、
前記窓枠の縦枠は可動障子ガイドを有し
前記内倒しロック装置は、本体とロック部材と操作部材を備え、そのロック部材は前記可動障子ガイドに上下方向に摺動自在に接して可動障子の上部を室内側に移動しないようにして可動障子の内倒しをロックするロック位置に保持され、
前記操作部材は上方位置に保持され、その上方位置から下方位置に移動して左右方向に移動することで前記ロック部材を可動障子ガイドから離れたロック解除位置に移動できるようにしたことを特徴とする上げ下げ窓。
【請求項４】
内倒しロック装置のロック部材は、本体にロック位置とロック解除位置とに亘って左右方向に移動自在に設けられ、このロック部材は弾性部材でロック位置に保持され、かつその弾性部材に抗してロック解除位置に移動可能で、
前記内倒しロック装置の操作部材は、本体とロック部材に亘って上下動自在に設けてあり、この操作部材が上方位置の時には本体に対して左右方向に移動しないように支持され、かつ下方位置の時には本体に対してロック部材とともに左右方向に移動可能である請求項３記載の上げ下げ窓。
【発明の詳細な説明】
【技術分野】
【０００１】
本発明は、室内側に倒すことができる可動障子を有する上げ下げ窓に関する。
【背景技術】
【０００２】
上げ下げ窓としては窓枠に外障子を設けると共に、その窓枠に内障子を上下摺動自在に装着したものが一般的で、その内障子が上下動自在のみであると、その内障子の室外側面を室内から清掃できないので、その内障子を内倒し自在とすることによって、内障子の室外側面を室内から清掃できるようにした上げ下げ窓が提案されている。
例えば、特許文献１に開示したように、内障子が最も下の位置の状態で、つまみをスプリングに抗して縦枠から離れる方向に操作し、突没部品を縦枠のガイドから抜き出すことで内障子を室内側に倒すことができるようにした上げ下げ窓が提案されている。
【０００３】
【特許文献１】特公平７−７２４６５号公報
【発明の開示】
【発明が解決しようとする課題】
【０００４】
前述した従来の上げ下げ窓は、つまみをスプリングに抗して縦枠から離れる方向に操作するのみで内障子が内倒し可能な状態となる。
このために、使用者が内障子を内倒しする意思がないのに、何らかの事情で使用者がつまみを前述の方向に移動してしまい、使用者の意思によらず内障子が室内側に倒れることがある。
【０００５】
本発明の目的は、可動障子を室内側に倒して可動障子の室外側面を室内から清掃できるし、使用者の意思によらず可動障子が室内側に倒れることがないようにした上げ下げ窓を提供することである。
【課題を解決するための手段】
【０００６】
第１の発明は、窓枠に内障子及び外障子を設け、内外障子のうち少なくとも一方を上下動及び内倒し可能な可動障子とし、この可動障子の上部左右に内倒しロック装置を設けた上げ下げ窓であって、
前記窓枠の縦枠は可動障子ガイドを有し
前記内倒しロック装置は、本体とロック部材と操作部材を備え、そのロック部材は前記可動障子ガイドに上下方向に摺動自在に接して可動障子の上部を室内側に移動しないようにして可動障子の内倒しをロックするロック位置に保持され、
前記操作部材は下方位置に保持され、その下方位置から上方位置に移動して左右方向に移動することで前記ロック部材を可動障子ガイドから離れたロック解除位置に移動できるようにしたことを特徴とする上げ下げ窓である。
【０００７】
第１の発明における内倒しロック装置のロック部材は、本体にロック位置とロック解除位置とに亘って左右方向に移動自在に設けられ、このロック部材は弾性部材でロック位置に保持され、かつその弾性部材に抗してロック解除位置に移動可能で、
前記内倒しロック装置の操作部材は、本体とロック部材に亘って上下動自在に設けてあり、この操作部材が下方位置の時には本体に対して左右方向に移動しないように支持され、かつ上方位置の時には本体に対してロック部材とともに左右方向に移動可能であることが好ましい。
【０００８】
第２の発明は、窓枠に内障子及び外障子を設け、内外障子のうち少なくとも一方を上下動及び内倒し可能な可動障子とし、この可動障子の上部左右に内倒しロック装置を設けた上げ下げ窓であって、
前記窓枠の縦枠は可動障子ガイドを有し
前記内倒しロック装置は、本体とロック部材と操作部材を備え、そのロック部材は前記可動障子ガイドに上下方向に摺動自在に接して可動障子の上部を室内側に移動しないようにして可動障子の内倒しをロックするロック位置に保持され、
前記操作部材は上方位置に保持され、その上方位置から下方位置に移動して左右方向に移動することで前記ロック部材を可動障子ガイドから離れたロック解除位置に移動できるようにしたことを特徴とする上げ下げ窓ある。
【０００９】
第２の発明における内倒しロック装置のロック部材は、本体にロック位置とロック解除位置とに亘って左右方向に移動自在に設けられ、このロック部材は弾性部材でロック位置に保持され、かつその弾性部材に抗してロック解除位置に移動可能で、
前記内倒しロック装置の操作部材は、本体とロック部材に亘って上下動自在に設けてあり、この操作部材が上方位置の時には本体に対して左右方向に移動しないように支持され、かつ下方位置の時には本体に対してロック部材とともに左右方向に移動可能であることが好ましい。
【発明の効果】
【００１０】
請求項１に係る発明によれば、内倒しロック装置のロック部材をロック解除位置とすることで、可動障子を室内側に倒して可動障子の室外側面を室内から清掃できる。
また、操作部材は上方位置に移動してからでないと左右方向に移動してロック部材をロック解除位置に移動できず、その操作部材を異なる２つの方向に操作しなければ可動障子の内倒しロックを解除できないので、使用者の意思によらず可動障子が室内側に倒れることがない。
【００１１】
請求項３に係る発明によれば、内倒しロック装置のロック部材をロック解除位置とすることで、可動障子を室内側に倒して可動障子の室外側面を室内から清掃できる。
また、操作部材は下方位置に移動してからでないと左右方向に移動してロック部材をロック解除位置に移動できず、その操作部材を異なる２つの方向に操作しなければ可動障子の内倒しロックを解除できないので、使用者の意思によらず可動障子が室内側に倒れることがない。
【発明を実施するための最良の形態】
【００１２】
図１に示すように、窓枠１に内障子２が上下動自在に装着され、この内障子２が可動障子である。この窓枠１に外障子３を設けて上げ下げ窓としてある。
前記外障子３は窓枠１の上部に設けてあり、この外障子３で窓枠１の上部を閉塞し、かつ窓枠１の下部を開口している。
前記内障子２を移動して下方位置とすることで前記窓枠１の開口１ａを閉塞し、内障子２を移動して上方位置とすることで前記窓枠１の開口１ａを開放する。
なお、外障子３を窓枠１の下部に設けて窓枠１の上部を開口し、内障子２を上方位置として窓枠１の開口１ａを閉塞し、内障子２を下方位置とすることで窓枠１の開口１ａを開放するようにしても良い。また、内障子２、外障子３を両方とも上下動自在に装着して、両方を可動障子としても良い。
【００１３】
前記窓枠１は上枠１０と下枠１１と左右の縦枠１２を方形状に連結してある。
前記左右の縦枠１２は図２に示すように可動障子ガイド１３を有する。
例えば、縦枠１２は室内外側方向に向かう板状の本体１２ａと、その本体１２ａに設けた室内側内向片１２ｂ、中間内向片１２ｃを備え、その本体１２ａと室内側内向片１２ｂと中間内向片１２ｃで内向凹部１４を形成し、その室内側内向片１２ｂを前述の可動障子ガイド１３としてある。
【００１４】
前記内障子２は図１、図２、図３に示すように上框２０と下框２１と左右の縦框２２を方形状に連結し、その内部にガラス２３を装着してある。前記下框２１に取付けた把手２４を持って上下動される。
前記内障子２は内倒し自在である。例えば、各縦框２２と前記各縦枠１２の内向凹部１４とに亘ってヒンジ、内倒しアーム等（図示せず）を設けて内障子２は、その下部を支点として室内側に倒れるようにしてある。
前記内障子２の上部左右、例えば左右の縦框２２の上部に内倒しロック装置４０がそれぞれ設けてある。
この内倒しロック装置４０は図２に示すように、本体４１と、この本体４１に設けたロック部材４２、操作部材４３を備え、このロック部材４２はロック位置に保持されて前記縦枠１２の可動障子ガイド１３に上下方向に摺動自在に接して内障子２の上部を室内側に移動しないようにして内障子２の内倒しをロックしている。
【００１５】
前記操作部材４３を図４（ａ）に示す下方位置に保持され、その下方位置から上方に移動して図４（ｂ）に示すように上方位置とし、この状態で操作部材４３を矢印ａで示すように縦枠１２と離れる方向に移動することでロック部材４２が前記縦枠１２の可動障子ガイド１３と離れて内障子２の上部を室内側に移動可能として内障子２の内倒しロックを解除するロック解除位置に移動する。なお、操作部材４３が下方位置の時には操作部材４３をロック解除位置に移動できない。
このようであるから、使用者の意思によらず内障子２の内倒しロックが解除されることがなく、使用者の意思によらずに内障子２が室内側に倒れることがない。
【００１６】
前記外障子３は図２、図３に示すように、左右の縦枠１２に取付けた左右の縦框３０と、左右の縦枠１２の上下中間部間に連結した下框３１と、上枠１０とで方形枠部を形成し、その方形枠部にガラス３２を装着してある。この下框３１と下枠１１と左右の縦枠１２とで前述の開口１ａを形成する。
前記内障子２を下方に移動して閉じ位置とすると、その内障子２の上框２０と外障子３の下框３１が対向して窓枠１の開口１ａを閉塞する。
【００１７】
次に、前記内倒しロック装置４０の具体形状を説明する。
図５、図６、図７に示すように、本体４１は左右端面４１ａ，４１ｂに貫通したガイド孔４４と、上面４１ｃに開口し、かつガイド孔４４と連通した上部孔４５と、下面４１ｄに開口し、かつガイド孔４４と連通した下部孔４６を有する。
前記上部孔４５と下部孔４６は平面矩形状で、上部孔４５の左右寸法が下部孔４６の左右寸法よりも長く、前後方向の寸法は同一である。
前記ロック部材４２は本体４１のガイド孔４４内に左右方向に移動自在に挿入して取付けてある。このロック部材４２は弾性材、例えばスプリング４７で先端部４２ａが本体４１の右端面４１ｂよりも突出したロック位置に保持され、そのロック部材４２をスプリング４７に抗して押すことでロック解除位置に移動する。
このロック部材４２の先端部４２ａの室外側面は斜面４８である。
前記ロック部材４２には縦孔４９が上下面４２ｂ，４２ｃに貫通して形成され、この縦孔４９の左右方向の寸法は前記上部孔４５の左右方向の寸法よりも小さい。
この縦孔４９の上部は、図７に示すように切欠４９ａによってロック部材４２の前後面４２ｄ，４２ｅにそれぞれ開口している。
【００１８】
前記操作部材４３は操作部５０と取付部５１を有し、その取付部５１が上部孔４５、縦孔４９、下部孔４６に上下動自在に挿入されて操作部５０の下面５０′が本体４１の上面４１ｃに接する。
この取付部５１の左右方向の寸法は上部孔４５の左右方向の寸法よりも小さく、かつ縦孔４９、下部孔４６の左右方向の寸法と略同一である。
この取付部５１が下部孔４６に嵌まり合った状態では操作部材４３は本体４１に対して左右方向に移動できない。
前記操作部材４３を上方に移動して図８に示すように、取付部５１を下部孔４６から抜き出しすれば、その取付部５１は上部孔４５に沿って左方に移動可能で、図９に示すように操作部材４３を移動してロック部材４２を前述のロック解除位置まで移動できる。
【００１９】
前記取付部５１にはストッパ５２が設けてあり、前述の図８に示すように取付部５１を下部孔４６から抜き出した時にストッパ５２が上部孔４５の下部開口縁に干渉して操作部材４３が上方に移動しないようにするので、誤って取付部５１を縦孔４９、上部孔４５から抜き出して操作部材４３が外れることを防止できる。
なお、このストッパ５２は図７に示すように縦孔４９の切欠４９ａに突出して取付部５１が上下に移動する時に縦孔４９と接触しないようにしてある。
【００２０】
前記取付部５１は図７に示すように前後一対の縦片５１ａで形成されて前後方向に弾性変形し易い形状で、その縦片５１ａの左右両端寄りにクサビ形状のストッパ５２を設け、取付部５１を上部孔４５に挿入する際には一対の縦片５１ａが弾性変形して容易に挿入でき、挿入した後はストッパ５２が上部孔４５の下部前後開口縁に干渉するようにしてある。
なお、一対の縦片５１ａの下端部に突片５３が設けてあり、この突片５３が下部孔４６の下部前後開口縁に接して操作部材４３が駆動などで上方に移動しないように保持している。
この突片５３の接触寸法は小さく、軽い力で外れて取付部５１を下部孔４６から容易に抜き出しできるようにしてある。
【００２１】
前記本体４１が縦框２２の上部に取付けられる。
前記ロック部材４２がロック位置であると可動障子ガイド１３に接して内障子２の内倒しがロックされる。
前記操作部材４３が下方位置であると、その操作部材４３は本体４１に固定されて左右方向に移動できないようになり、この操作部材４３が上方位置であると本体４１に対して左右方向に移動可能となり、この操作部材４３によってロック部材４２をロック解除位置まで移動できる。操作部材４３が上方位置であると縦片５１ａの突片５３が縦孔４９に圧接して自重で落下しないように保持され、軽い力で押すことで下方位置となる。
前記内障子２を室内側に倒した状態から室外側に向けて押すと、操作部材４３が前述のように上方位置に保持されているから、ロック部材４２の傾斜面４８が可動障子ガイド１３に接してスプリング４７に抗してロック解除位置まで移動するので、内障子２を室外側に向けて押すことで上下動自在の状態とすることができる。
【００２２】
次に、前記内倒しロック装置４０の第２の実施の形態を図１０〜図１４に基づいて説明する。
この実施の形態は操作部材４３が上方位置の時には本体４１に対して左右方向に移動できずにロック部材４２をロック解除位置に移動できず、その操作部材４３を下方位置の時に本体４１に対して左右方向に移動可能でロック部材４２をロック解除位置に移動できることが、前述の実施の形態と相違し、他の構成は前述の実施の形態と同様である。
すなわち、ロック部材４３は本体４１のガイド孔４４に左右方向に移動自在に設けられ、弾性部材（スプリング４７）でロック位置に保持されていると共に、スプリング４７に抗してロック解除位置に移動する。
【００２３】
前記本体４１には上面４１ｃに開口した上部孔４５が形成されているが、前述の下部孔は形成されていない。
前記上部孔４５は開口幅（前後方向の寸法）の大きな矩形状の一側孔４５ａと開口幅の小さな矩形状の他側孔４５ｂを有する矩形状の段付き形状である。
前記ロック部材４２には上面に開口した連結用穴６０が形成され、この連結用穴６０に操作部材４３の取付部５１が上下動自在に嵌まり込み、操作部材４３とともにロック部材４２が左右方向に移動すると共に、操作部材４３は本体４１、ロック部材４２に対して上下方向に移動する。
【００２４】
前記操作部材４３の取付部５１の幅（前後方向の寸法）は、前記上部孔４５の他側孔４５ｂの開口幅よりも小さく、この取付部５１の幅方向両側面の上部寄りにストッパ片６１が一体的に設けてあり、この２つのストッパ片６１間の幅方向寸法は前記他側孔４５ｂの開口幅よりも大きく、操作部材４３が上方位置の時に、このストッパ片６１が上部孔４５の段部４５ｃに干渉し、操作部材４３が下方位置の時にはストッパ片６１が段部４５ｃよりも下方位置となる。
前記操作部材４３は上方位置に保持されている。例えば、前記操作部５０は図１２、図１３に示すように、左右壁５０ａと前後壁５０ｂと上壁５０ｃで下面が開口した箱形状で、その前後壁５０ｂの下端面における左右中間に突起６２を有すると共に、前後壁５０ｂの下端寄りにスリット状の開口部６３を形成して前後壁５０ｂが下向きに弾性変形できるようにしてある。
前記上壁５０ｃの下面に左右一対の縦片５１ａが一体的に設けてあり、この一対の縦片５１ａで前述の取付部５１としてある。
【００２５】
前記操作部５０の突起６２が本体４１の上面４１ｃに接して操作部５０の下面が本体４１の上面４１ｃと離れ、操作部材４３は図１１に示すように前述の上方位置に保持されている。
【００２６】
前述の状態から図１４に矢印で示すように操作部５０を押すことで、突起６２を支点として前後壁５０ｂが下方に弾性変形して左右壁５０ａが本体４１の上面４１ｃに接する。
これによって、上壁５０ｃに設けた一対の縦片５１ａが下方に移動して下方位置となり、ストッパ片６１が上部孔４５の段差部４５ｃよりも下方位置となるので、取付部５１（操作部材４３）が他側孔４５ｂまで移動可能となる。
【００２７】
前述の状態から操作部材４３を左右方向（縦枠１２と離れる方向）に移動することで図１５に示すようにロック部材４２をロック解除位置に移動することができる。
【００２８】
この実施の形態では、本体４１の上部孔４５における一側孔４５ａは上壁の上下面に亘って形成され、他側孔４５ｂは上壁の上半分に形成されて下半分は一側孔４５ａと同一開口幅となって一対のストッパ片６１が入り込むようにしてある。
また、ロック部材４２の連結用穴６０における前後部には図１２に示すように開口窓６０ａが形成され、この開口窓６０ａに縦片５１ａのストッパ５２が干渉して取付部５１が連結用穴６０から抜け出ないようにしてある。
なお、前記操作部材４３はスプリング、板バネなどの弾性部材で上方位置に保持するようにしても良い。このようにすれば、操作部５０を前述した複雑形状とする必要がない。
この実施の形態の場合には、内倒し状態の内障子２をもとに戻す際は、操作部材４３を押して下方位置とする。
【００２９】
また、第１の実施の形態においても、操作部材４３をスプリング、板バネなどの弾性部材を用いて下方位置に保持するようにしても良い。
なお、第１及び第２の実施形態では、内障子のみが上下動、内倒し可能な可動障子としたが、外障子も上下動、内倒し可能な可動障子として、内外障子両方に内倒しロック装置を設けても良い。
また、外障子のみが上下動、内倒し可能な可動障子として外障子のみに内倒しロック装置を設けても良い。
また、ロック部材４２を伸縮自在で、伸び状態に保持された形状、例えば、第１部材に第２部材を摺動自在に嵌合して連結し、スプリングで突出して保持した形状としても良い。このようにすれば、操作部材４３の位置にかかわらず、内倒し状態の内障子２を押すだけでもとに戻すことができる。
【図面の簡単な説明】
【００３０】
【図１】上げ下げ窓の内観図である。
【図２】上げ下げ窓の横断面図である。
【図３】上げ下げ窓の縦断面図である。
【図４】内倒しロック装置の取付け状態の斜視図である。
【図５】内倒しロック装置の一部破断平面図である。
【図６】内倒しロック装置の一部破断正面図である。
【図７】図５のＡ−Ａ断面図である。
【図８】操作部材を上方位置とした状態の一部破断正面図である。
【図９】ロック部材をロック解除位置とした状態の一部破断正面図である。
【図１０】内倒しロック装置の第２の実施の形態を示す一部破断平面図である。
【図１１】内倒しロック装置の第２の実施の形態を示す一部破断正面図である。
【図１２】図１０のＢ−Ｂ拡大断面図である。
【図１３】操作部材の斜視図である。
【図１４】操作部材を下方位置とした状態の一部破断正面図である。
【図１５】ロック部材をロック解除位置とした状態の一部破断正面図である。
【符号の説明】
【００３１】
１…窓枠、、２…内障子、３…外障子、１２…縦枠、１３…可動障子ガイド部、４０…内倒しロック装置、４１…本体、４２…ロック部材、４３…操作部材。
【図１】
2006183310.tif 000003
【図２】
2006183310.tif 000004
【図３】
2006183310.tif 000005
【図４】
2006183310.tif 000006
【図５】
2006183310.tif 000007
【図６】
2006183310.tif 000008
【図７】
2006183310.tif 000009
【図８】
2006183310.tif 000010
【図９】
2006183310.tif 000011
【図１０】
2006183310.tif 000012
【図１１】
2006183310.tif 000013
【図１２】
2006183310.tif 000014
【図１３】
2006183310.tif 000015
【図１４】
2006183310.tif 000016
【図１５】
2006183310.tif 000017